(57)【特許請求の範囲】
【請求項１】
本体正面側の前面部の上方、下方に、各々形成された第一の吸込口と吹出口と、上面部に形成された第二の吸込口と、前記第一、第二の吸込口から空気を吸引する送風機と、主として前記前面部から前記送風機に向かう空気の流れ中の上下に各々配設された後傾部、垂直部と、主として前記上面部から前記送風機に向かう空気の流れ中に配設され前記後傾部と連なる前傾部とからなる熱交換器を具備してなる空気調和機において、
前記後傾部と前記前傾部を、各々複数の第一ブロック熱交換器と、複数の第二ブロック熱交換器に分割し、気流方向に略直角になるように前記第一ブロック熱交換器を後傾させ、前記第二ブロック熱交換器を前傾させ、各々上方から下方に向かい角部を順にズラし、間隙を置いて配設するとともに、
前記第一ブロック熱交換器及び前記第二ブロック熱交換器の各々の間隙に、遮蔽板を配設してなることを特徴とする空気調和機。
【請求項２】
前記第一ブロック熱交換器または第二ブロック熱交換器を、気流方向に対して風上側のブロックが、その風下側に配設されたブロックと互いに重なる部分を多くする長さに構成してなることを特徴とする請求項１記載の空気調和機。
【請求項３】
前記第一ブロック熱交換器または第二ブロック熱交換器を、気流方向に対して風上側のブロックが、その風下側に配設されたブロックと互いに重なる部分を少なくし、前記遮蔽板が気流を妨げない長さに構成してなることを特徴とする請求項１記載の空気調和機。
【請求項４】
前記遮蔽板が、気流方向と略平行になるように前記第一ブロック熱交換器と第二ブロック熱交換器を配設してなることを特徴とする請求項３記載の空気調和機。
【請求項５】
前記遮蔽板が、各々前記第一ブロック熱交換器または、第二ブロック熱交換器の隣り合うどちらか一方の側板の端部に設けた支持部に軸支される支軸を両端に有し、先端に他方の側板の端部に設けた支持部に軸支される支軸に係止する係止部を有する遮蔽片によりなることを特徴とする請求項１乃至請求項４記載の空気調和機。
【請求項６】
前記遮蔽板が、各々前記第一ブロック熱交換器または、第二ブロック熱交換器の隣り合うどちらか一方の側板の端部に設けた支持部に軸支される支軸を両端に有し、先端に他方の端部に対応する当接部を有する遮蔽片によりなることを特徴とする請求項１乃至請求項４記載の空気調和機。
【請求項７】
前記遮蔽板が取付けられない前記第一ブロック熱交換器または、第二ブロック熱交換器の風下側の角部に、結露水の滴下防止のための曲面を形成してなることを特徴とする請求項１乃至請求項６記載の空気調和機。
【発明の詳細な説明】
【０００１】
【発明の属する技術分野】
本発明は、空気調和機に係わり、詳しくは熱交換器の構成と配置に関する。
【０００２】
【従来の技術】
図６は、従来型の空気調和機の一例を示す側断面図である。
【０００３】
従来の空気調和機１は、図に示すように、本体１のケーシング２正面側の前面部２ａの上方、下方に、各々形成された第一の吸込口２ａ１と吹出口２ａ２と、上面部２ｂに形成された第二の吸込口２ｂ１と、前記第一の吸込口２ａ１、第二の吸込口２ｂ１から空気を吸引する送風機３が配設される。
また、熱交換器は、素材を３段に折り曲げて下方から垂直部４ｚ、後傾部４ｘ、それに連なる前傾部４ｙを形成し構成されている。
そして、主として前記前面部２ａから前記送風機３に向かう空気の流れ中に前記垂直部、後傾部を配設し、主として前記上面部２ｂから前記送風機３に向かう空気の流れ中に前記前傾部４ｙを配設してなる構造であった。
【０００４】
しかしながら、前記空気調和機１は、前記後傾部４ｘ、前傾部４ｙと前記送風機３の間の空間に熱交換には無駄となるスペースが残り、熱交換器の大きさに対する熱交換効率の向上と、室内機の小型化の場合にネックを生じるおそれがある問題を有していた。
【０００５】
【発明が解決しようとする課題】
本発明は、上記従来型の問題点に鑑み発明されたものであって、空気調和機の熱交換器の構造と配置の無駄をなくし、熱交換効率を向上し省スペース化した空気調和機を提供することを目的とするものである。
【０００６】
【課題を解決するための手段】
上記の課題を解決するため、本体正面側の前面部の上方、下方に、各々形成された第一の吸込口と吹出口と、上面部に形成された第二の吸込口と、前記第一、第二の吸込口から空気を吸引する送風機と、主として前記前面部から前記送風機に向かう空気の流れ中の上下に各々配設された後傾部、垂直部と、主として前記上面部から前記送風機に向かう空気の流れ中に配設され前記後傾部と連なる前傾部とからなる熱交換器を具備してなる空気調和機において、前記後傾部と前記前傾部を、各々複数の第一ブロック熱交換器と、複数の第二ブロック熱交換器に分割し、気流方向に略直角になるように前記第一ブロック熱交換器を後傾させ、前記第二ブロック熱交換器を前傾させ、各々上方から下方に向かい角部を順にズラし、間隙を置いて配設するとともに、前記第一ブロック熱交換器及び前記第二ブロック熱交換器の各々の間隙に、遮蔽板を配設してなるようにする。
【０００７】
そして、前記第一ブロック熱交換器または第二ブロック熱交換器を、気流方向に対して風上側のブロックが、その風下側に配設されたブロックと互いに重なる部分を多くする長さに構成してなるようにする。
あるいは、前記第一ブロック熱交換器または第二ブロック熱交換器を、気流方向に対して風上側のブロックが、その風下側に配設されたブロックと互いに重なる部分を少なくし、前記遮蔽板が気流を妨げない長さに構成してなるようにする。
さらに、前記遮蔽板が、気流方向と略平行になるように前記第一ブロック熱交換器と第二ブロック熱交換器を配設してなるようにする。
【０００８】
一方、前記遮蔽板が、各々前記第一ブロック熱交換器または、第二ブロック熱交換器の隣り合うどちらか一方の側板の端部に設けた支持部に軸支される支軸を両端に有し、先端に他方の側板の端部に設けた支持部に軸支される支軸に係止する係止部を有する遮蔽片によりなるようにする。
あるいは、前記遮蔽板が、各々前記第一ブロック熱交換器または、第二ブロック熱交換器の隣り合うどちらか一方の側板の端部に設けた支持部に軸支される支軸を両端に有し、先端に他方の端部に対応する当接部を有する遮蔽片によりなるようにする。
他方、前記遮蔽板が取付けられない前記第一ブロック熱交換器または、第二ブロック熱交換器の風下側の角部に、結露水の滴下防止のための曲面を形成してなるようにする。
【０００９】
【発明の実施の形態】
発明の実施の形態を実施例に基づき添付図面を参照して詳細に説明する。
図１は、本発明の一実施例を示す空気調和機の側断面図、図２は、図１における遮蔽板の要部拡大斜視図である。
なお、従来と同じ部分の符号は同一とする。
【００１０】
以下に、本発明を図に示す一実施例に基づいて説明すると、１は空気調和機、２はケーシング、３は送風機、４ａは第一ブロック熱交換器、４ｂは第二ブロック熱交換器、４ｚは垂直部、５、６は遮蔽板である。
【００１１】
本体１のケーシング２における正面側の前面部２ａの上方、下方に、各々形成された第一の吸込口２ａ１と吹出口２ａ２と、上面部２ｂに形成された第二の吸込口２ｂ１と、前記第一の吸込口２ａ１、第二の吸込口２ｂ１から空気を吸引する送風機３と、主として前記前面部２ａから前記送風機３に向かう空気の流れ中の上下に各々配設された後傾部、垂直部４ｚと、主として前記上面部２ｂから前記送風機３に向かう空気の流れ中に配設され前記後傾部と連なる前傾部とからなる熱交換器を具備してなる空気調和機１を構成する。
【００１２】
ここで、前記後傾部と前記前傾部を、各々複数の第一ブロック熱交換器４ａと、複数の第二ブロック熱交換器４ｂに分割し、前記第一ブロック熱交換器４ａまたは第二ブロック熱交換器４ｂを、気流方向に対して風上側のブロックが、その風下側に配設されたブロックと互いに重なる部分を多くする長さに構成する。
【００１３】
そして、気流方向に略直角になるように前記第一ブロック熱交換器４ａを後傾させ、前記第二ブロック熱交換器４ｂを前傾させ、各々上方から下方に向かい角部を順にズラし、間隙を置いて配設する。
それとともに、前記第一ブロック熱交換器４ａ及び前記第二ブロック熱交換器４ｂの各々の間隙に、遮蔽板５、６を配設してなるようにする。
【００１４】
一方、前記遮蔽板５が、各々前記第一ブロック熱交換器４ａの隣り合うどちらか一方の側板４ａ１の端部に設けた支持部４ａ２に軸支される支軸５ｂを両端に有し、先端に他方の側板４ａ１の端部に設けた支持部４ａ２に軸支される支軸５ｃに係止する係止部５ａ１を有する遮蔽片５ａによりなるようにする。
また、遮蔽板６についても同様であるので説明を省く。
【００１５】
他方、前記遮蔽板５または、遮蔽板６が取付けられない前記第一ブロック熱交換器４ａまたは、第二ブロック熱交換器４ｂの風下側の角部に、結露水の滴下防止のための曲面ｒを形成してなるようにする。
【００１６】
図３は、本発明の他の実施例を示す空気調和機の側断面図、図４は、図３における遮蔽板の要部拡大斜視図である。
この場合、前記第二ブロック熱交換器４ｂを、気流方向に対して風上側のブロックが、その風下側に配設されたブロックと互いに重なる部分を少なくし、前記遮蔽板６が気流を妨げない長さに構成してなるようにする。
さらに、前記遮蔽板６が、各々前記第二ブロック熱交換器４ｂの隣り合うどちらか一方の側板４ｂ１の端部に設けた支持部４ｂ２に軸支される支軸６ｂを両端に有し、先端に他方の側板４ｂ１の端部に設けた支持部４ｂ２に軸支される支軸６ｃに係止する係止部６ａ１を有する遮蔽片６ａによりなるようにする。
そして、気流方向と平行になるように前記第二ブロック熱交換器４ｂを配設してなるようにする。
また、遮蔽板５についても同様であるので説明を省く。
【００１７】
一方、図５は、本発明の他の実施例を示す遮蔽板の要部斜視図で、この場合、前記遮蔽板７が、各々前記第一ブロック熱交換器４ａの隣り合うどちらか一方の側板４ａ１の端部に設けた支持部４ａ２に軸支される支軸７ｂを両端に有し、先端に他方の端部に対応する当接部７ａ１を有する遮蔽片７ａによりなるようにする。
また、遮蔽板６についても同様であるので説明を省く。
【００１８】
ここで、本発明の作用について説明する。
図１に示す上記の構成において、前記後傾部と前記前傾部を、各々複数の第一ブロック熱交換器４ａと、複数の第二ブロック熱交換器４ｂに分割するとともに、気流方向に対して風上側のブロックが、その風下側に配設されたブロックと互いに重なる部分を多くする長さに構成し、前記第一ブロック熱交換器４ａ及び前記第二ブロック熱交換器４ｂの各々の間隙に、遮蔽板５と遮蔽板６を配設してなるので、実効的に熱交換器を大きくしたことになる。
この結果、前記後傾部、前傾部と前記送風機の間のスペースの有効活用ができ、熱交換率を向上させることができる。
【００１９】
一方、図３に示す上記の構成において、前記第一ブロック熱交換器４ａまたは第二ブロック熱交換器４ｂを、気流方向に対して風上側のブロックが、その風下側に配設されたブロックと互いに重なる部分を少なくし、前記遮蔽板５、６が気流を妨げない長さに構成し、前記遮蔽板５または、遮蔽板６が、気流方向と略平行になるように前記第一ブロック熱交換器４ａと第二ブロック熱交換器４ｂを配設してなるので、前記遮蔽板５または、遮蔽板６近傍の気流を妨げないので、熱交換率を向上させることになる。
【００２０】
【発明の効果】
本発明の空気調和機によると、本体正面側の前面部の上方、下方に、各々形成された第一の吸込口と吹出口と、上面部に形成された第二の吸込口と、前記第一、第二の吸込口から空気を吸引する送風機と、主として前記前面部から前記送風機に向かう空気の流れ中の上下に各々配設された後傾部、垂直部と、主として前記上面部から前記送風機に向かう空気の流れ中に配設され前記後傾部と連なる前傾部とからなる熱交換器を具備してなる空気調和機において、前記後傾部と前記前傾部を、各々複数の第一ブロック熱交換器と、複数の第二ブロック熱交換器に分割し、気流方向に略直角になるように前記第一ブロック熱交換器を後傾させ、前記第二ブロック熱交換器を前傾させ、各々上方から下方に向かい角部を順にズラし、間隙を置いて配設するとともに、前記第一ブロック熱交換器及び前記第二ブロック熱交換器の各々の間隙に、遮蔽板を配設してなるようにした。
この結果、空気調和機の熱交換器の構造と配置の無駄をなくし、熱交換効率を向上し省スペース化した空気調和機を提供することができる。
【図面の簡単な説明】
【図１】本発明の一実施例を示す空気調和機の側断面図である。
【図２】図１における遮蔽板の要部拡大斜視図である。
【図３】本発明の他の実施例を示す空気調和機の側断面図である。
【図４】図３における遮蔽板の要部拡大斜視図である。
【図５】本発明の他の実施例を示す遮蔽板の要部斜視図である。
【図６】従来型の空気調和機の一例を示す側断面図である。
【符号の説明】
１  空気調和機
２  ケーシング
２ａ  前面部
２ａ１  第一の吸込口
２ａ２  吹出口
２ｂ  上面部
２ｂ１  第二の吸込口
３  送風機
４ａ  第一ブロック熱交換器
４ａ１  側板
４ａ２  支持部
４ｂ  第二ブロック熱交換器
４ｂ１  側板
４ｂ２  支持部
４ｚ  垂直部
５  遮蔽板
５ａ  遮蔽片
５ａ１  係止部
５ｂ  支軸
５ｃ  支軸
６  遮蔽板
６ａ  遮蔽片
６ａ１  係止部
６ｂ  支軸
６ｃ  支軸
７  遮蔽板
７ａ  遮蔽片
７ａ１  当接部
７ｂ  支軸
ｒ  曲面
【図１】
0003783380.tif 000002
【図２】
0003783380.tif 000003
【図３】
0003783380.tif 000004
【図４】
0003783380.tif 000005
【図５】
0003783380.tif 000006
【図６】
0003783380.tif 000007